(57)【要約】【課題】挿入力の増大を抑えるとともに、取付孔の形状の影響を低減することが可能となるクリップの提供。【解決手段】実施形態にかかるクリップは、取付対象に設けられた取付孔に係止されるクリップであって、前記取付孔への挿入時に前記取付孔に干渉して内方に変形する脚部を有し、前記脚部の表面に、挿入方向に沿う少なくとも一つの突条を備えることを特徴とする。【選択図】図１
2014052000.tif 000002
【特許請求の範囲】
【請求項１】
取付対象に設けられた取付孔に係止されるクリップであって、
前記取付孔への挿入時に前記取付孔に干渉して内方に変形する脚部を有し、
前記脚部の表面に、挿入方向に沿う少なくとも一つの突条を備えることを特徴とするクリップ。
【請求項２】
前記脚部の表面に複数の前記突条を有し、前記複数の突条は互いに前記挿入方向に関してオフセットするとともに、少なくとも一部が重なるように配列され、
前記脚部の外面は、先端部よりも拡大するとともに前記取付孔に係止される係止部を有し、前記係止部の外側面に前記突条が設けられることを特徴とする請求項１記載のクリップ。
【請求項３】
前記突条は、その幅が最大となる最大幅部分から挿入方向基端側に向かって徐々に縮幅するように構成されることを特徴とする請求項１または２記載のクリップ。
【請求項４】
前記突条は、その突出高さが最大となる頂部から挿入方向基端側に向かって徐々に低くなるように構成されることを特徴とする請求項１乃至３のいずれか記載のクリップ。
【請求項５】
前記脚部と、
前記脚部の基端側に設けられ、取付部材に係止される頭部と、
前記頭部と前記脚部との間に設けられるとともに前記取付部材に設けられた孔部に挿入される首部と、を成形樹脂により一体に備え、
前記頭部が前記取付部材の前記孔部に係止されるとともに前記脚部が前記取付対象の前記取付孔に係止されることにより、前記取付対象に前記取付部材を支持させることを特徴とする請求項１乃至４のいずれか記載のクリップ。
【発明の詳細な説明】
【技術分野】
【０００１】
本発明は、取付部材を取付対象に取り付けるクリップに関する。
【背景技術】
【０００２】
取付部材を取付対象に取り付けるクリップとして、例えばトリムボードを自動車の車体のドアパネルに固定するのに用いられるトリムクリップ等が知られている。クリップは、例えば取付部材に係止される頭部と、取付対象に形成された取付孔に挿入されて係止される所定形状の脚部と、を備えて構成される。脚部は合成樹脂等から弾性変形可能に構成され、取付孔よりわずかに幅の大きい係止部を備えている。この係止部が取付孔との干渉により内方に変位するように撓み変形しながら脚部が取付孔に挿入され、取付孔の通過後に外方に復元することで取付孔の周縁に脚部が係止されるように構成される。
【先行技術文献】
【特許文献】
【０００３】
【特許文献１】特許第３３８６２４１号公報
【発明の概要】
【発明が解決しようとする課題】
【０００４】
上述したクリップでは、取付孔と係止部との接触により高い挿入力を要するとともに、取付孔の形状による影響を受けやすい。例えば取付孔の周縁に凹凸が形成されている場合には食い込みが発生し、挿入力が増大する。
【課題を解決するための手段】
【０００５】
実施形態にかかるクリップは、取付対象に設けられた取付孔に係止されるクリップであって、前記取付孔への挿入時に前記取付孔に干渉して内方に変形する脚部を有し、前記脚部の表面に、挿入方向に沿う少なくとも一つの突条を備えることを特徴とする。
【発明の効果】
【０００６】
本発明によれば、挿入力の増大を抑えるとともに、取付孔の形状による影響を低減することが可能となる。
【図面の簡単な説明】
【０００７】
【図１】本発明の第１の実施形態に係るクリップを示す側面図。
【図２】同クリップの装着状態を示す説明図。
【図３】同クリップの断面図。
【図４】同クリップの突条部を拡大して示す正面図。
【図５】同クリップの突条部を拡大して示す側面図。
【図６】本発明の他の実施形態に係るクリップを示す断面図。
【図７】本発明の他の実施形態に係るクリップを示す側面図。
【発明を実施するための形態】
【０００８】
以下、本発明の第１実施形態かかるクリップ１について、図１乃至図５を参照して説明する。各図中矢印Ｘ，Ｙ，Ｚはそれぞれ互いに直交する３方向を示す。また、各図において説明のため、適宜構成を拡大、縮小または省略して示している。
【０００９】
本実施形態においては、クリップ１の一例としてトリムクリップを用いて、取付部材の一例としてのトリムボード２を取付対象の一例としての車体のドアパネル３に取り付ける場合を例示する。図１は、本発明の第１の実施の形態に係るクリップ１を示す側面であり、トリムボード２及びドアパネル３を一部切欠して示している。
【００１０】
ここでトリムボード２にはクリップ１の頭部１１を収容する収容部２ａが設けられている。収容部２ａは断面コ字状で一方側に開口し、クリップ１の頭部１１が挿入される隙間Ｓを有している。収容部２ａには一方側に開口しクリップ１の首部１２が挿入されるスリット状の孔部２ｂが形成されている。孔部２ｂは首部１２よりわずかに大きい径を有する円形部分を有し、円形部分の縁の一部が首部１２の径よりわずかに狭い係止部分を形成し、一方側に拡径しながら開口している。首部１２を孔部２ｂにスライドさせながら圧入するとともに頭部１１を隙間Ｓに挿入すると、係止部分を乗り越えた首部１２が円形部分に保持され、頭部が隙間Ｓ内に保持されるように構成されている。
【００１１】
ドアパネル３にはクリップ１の脚部１４が挿入されて係止される取付孔３ａが設けられている。取付孔３ａは脚部１４に対応する形状に構成され、ここでは周縁が解除状態における一対のガイド面２２ｂの途中部位に対応する所定幅を有する矩形の貫通孔として構成されている。
【００１２】
クリップ１は成形樹脂により一体に形成されている。クリップ１は、トリムボード２の孔部２ｂに係止される頭部１１と、頭部１１の一方側に連続するとともに孔部２ｂに挿通される首部１２と、首部１２の一方側に連続してトリムボード２とドアパネル３の間に配される胴部１３と、ドアパネル３の取付孔３ａに挿入されて係止される脚部１４と、を連続して同軸に備えている。
【００１３】
頭部１１は孔部２ｂよりも大径の円板形状に構成されている。首部１２は頭部１１の一方側に連続して設けられ、孔部２ｂよりも小径に構成されている。首部１２が孔部２ｂに挿入された状態で頭部１１が収容部２ａ内に係止される。
【００１４】
胴部１３は首部１２の一方側に連続して設けられ、孔部２ｂよりも大径の円板状の支持板１５と、取付孔３ａよりも大径の円形の当接片１６と、を同軸的に一体に備える。当接片１６は支持板１５の先端側においてスカート状に広がり、その先端縁１６ａが挿入力によってドアパネル３に圧接されて変形可能に構成されている。胴部１３の一方側には脚部１４が連続して設けられている。
【００１５】
脚部１４は、胴樹脂製で胴部１３から一体に垂下する薄板状のベース脚２１と、ベース脚２１の両端縁からそれぞれ周方向に円弧状に湾曲して伸びる一対の爪片２２（爪部）と、を備え、その断面がＳ字形状に構成されている。脚部１４は先端が先細形状になっており、一対の爪片２２は、先端部分２２ａからその外面が挿入軸から離間するように拡大するガイド面２２ｂを有し、軸方向の基端側の一部において外方に最も突出するとともにその挿入軸からの距離が最大となり取付孔３ａに係止される係止部２２ｃを備えている。一対の係止部２２ｃは図１に示す解除状態において取付孔３ａよりも大きい幅となるように設定され、変形により取付孔３ａよりも小さくなるように構成されている。係止部２２ｃより基端側は再び縮径し、胴部１３に連続するようになっている。
【００１６】
各爪片２２は薄く撓み変形可能に構成されている。したがって、クリップ１の脚部１４を取付孔３ａに圧入すると、両側の爪部２２が取付孔３ａに干渉し、挿入力によってガイド面２２ｂに案内されて内方に倒れこむように変形する。そして各係止部２２ｃの挿入方向後側の縮径部分にドアパネル３を係止する。
【００１７】
係止部２２ｃ近傍の外側面には、突条部２３が設けられている。ここでは周方向に湾曲して延びる各爪片２２の端部近傍にそれぞれ突条部２３が形成されている。突条部２３には複数（本実施形態では３本）の突条２３ａ〜２３ｃがそれぞれ挿入方向に沿って細長い形状に形成されている。ここでは一例として突条２３ａ〜２３ｃの中心線がクリップ１の挿入軸心と平行となるように設定され、図中矢印Ｚと平行である。
【００１８】
各突条２３ａ〜２３ｃはそれぞれ断面の外形が外方に円弧状に隆起して構成されたリブである。図３及び図４に拡大して示すように、複数の突条２３ａ〜２３ｃは互いに前記挿入方向に関してオフセットするとともに、少なくとも一部が重なるように配列されている。すなわち、最も下にある突条２３ａの上端より下の位置に次の突条２３ｂの下端が位置し、その突条２３ｂの上端より下の位置に次の突条２３ｃの下端が位置している。さらに、この突条部２３は係止部２２ｃよりも下方の位置から、係止部２２ｃよりも上側の位置に至るように配列されている。
【００１９】
この位置設定により、複数の突条２３ａ〜２３ｃが順番に段階的かつ連続的に取付孔３ａに当接することで挿入動作がスムーズに連続するようになっている。図３に示すように、複数の突条２３ａ〜２３ｃは、それぞれその幅が最大となる最大幅部分ら挿入方向基端側に向かって徐々に縮幅し、最大幅部分から挿入方向先端側も徐々に縮幅するように構成されている。
【００２０】
また、図４に示すように複数の突条２３ａ〜２３ｃは、その突出高さが最大となる頂部から挿入方向基端側に向かって徐々に低くなり、頂部から挿入方向先端側も徐々に低くなるように構成されている。ここで頂部及び最大幅部分は、突条２３ａ〜２３ｃの長手方向の中央よりも先端側の位置に設定され、各突条２３ａ〜２３ｃの外面はドロップ形状を呈している。
【００２１】
この突条部２３は、最も挿入力が増加する係止部２２ｃ近傍において取付孔３ａの周縁との接触面積を減らして挿入力を低く抑えるとともに、取付孔３ａの周縁にバリ等の凹凸がある場合にも爪片２２本体への食い込みを回避し、挿入方向にスムーズに案内する機能を有している。
【００２２】
以下図１及び図２を参照して、挿入動作について説明する。図１に示す解除状態から、クリップ１をドアパネル３の取付孔３ａに向けて押圧すると、脚部１４の爪片２２の外側面が取付孔３ａの周縁に干渉し、先端方向の挿入力によってガイド面２２ａに案内され内方に変形させられる。
【００２３】
クリップ１が挿入方向先方に進み、取付孔３ａとの接触がガイド面２２ｂに沿って係止部２２ｃに至る直前に、突条部２３が干渉することによって、接触面積が低下する。
【００２４】
この後クリップ１をさらに先方に挿入すると、複数の突条２３ａ，２３ｂ，２３ｃに順番に接触しながら低挿入力で挿入方向に案内することができる。クリップ１をさらに先方に進め、当接片１６を基端側に押圧して変形させ、ドアパネル３が係止部の外側端部を乗り越えた時点で係止部２２ｃの挿入方向後端面と当接片１６との間にドアパネル３が係止され、装着状態となる。脚部１４が取付孔３ａ内に挿入されて係止された装着状態において、爪片２２は外方に復元し、元の位置に戻る。
【００２５】
本実施形態に係るクリップ１によれば、脚部１４の係止部２２ｃ近傍の表面に、互いにオフセットする複数の突条２３ａ〜２３ｃを設けたことにより、取付孔３ａの周縁との接触抵抗を減らし、挿入力を低減させることができる。すなわち、最も外側に位置し挿入力が大きくなる係止部２２ａの直前で突条２３ａ〜２３ｃが接触することにより、接触面積を減らし、かつ複数の突条２３ａ〜２３ｃが挿入方向に沿ってオフセットしながら連続的に配置されていることにより、挿入動作をスムーズに案内できる。
【００２６】
面接触を避けたことにより、取付孔３ａと爪片２２との当接面の寸法や形状の制約が緩和され、例えば取付孔３ａにバリ等による凹凸が形成されている場合であっても、食い込みを回避して挿入力の増大を抑えられるため、いわゆる逆パンチ孔にも対応可能である。すなわち挿入時には取付孔３ａの周縁が爪片２２の係止部２２ｃに食い込む前に突条２３ａ〜２３ｃに食い込むことになるため、取付孔３ａの爪片２２への食い込みによる挿入力の増大を回避できる。
【００２７】
なお、本発明は上記第１実施形態に限定されるものではなく、本発明の要旨を逸脱しない範囲で種々変形実施可能である。また、各部の具体的構成や材質等は上記実施形態に例示したものに限られるものではなく適宜変更可能である。
【００２８】
例えば挿入方向に沿う各突条２３ａ〜２３ｃの一例として、挿入軸心に平行な例を示したが、これに限られるものではなく所定の角度範囲で傾斜していてもよい。例えば挿入方向に対する傾斜が４５°以下であることが望ましく、１５°以下であることが特に好ましい。また、クリップ１を回転させながら挿入する場合には突条が螺旋状に傾斜してもよい。
【００２９】
上記第１実施形態では、断面Ｓ字形状に構成し湾曲して伸びる一対の爪片２２を配置したが、これに限られるものではない。例えば本発明の他の実施形態として図６に示すクリップ１００では、４つの爪片１２２を備え、断面形状が卍状になっている。この場合においても、最も径が拡大する係止部１２２ｃにおいて、その外側面に複数の突条１２３ａ〜１２３ｃを設けることにより、上記第１実施形態と同様の効果を得られる。
【００３０】
さらに、例えば本発明の他の実施形態として図７に示すクリップ３００では、一対の爪片３２２が返しを有するアンカー形状に構成される。この場合においても、最も径が拡大する係止部３２２ｃにおいて、その外側面に複数の突条３２３ａ〜３２３ｃを設けることにより、上記第１実施形態と同様の効果を得られる。なお、クリップ１００,３００においてクリップ１と対応する構造については関連する符号を付すとともに、共通する構造について重複する説明を省略する。
【００３１】
クリップ１，１００,３００は上記実施形態のトリムクリップに限られるものではなく、他の取付対象に各種部品を取り付けるための各種のクリップに本願を適用できる。もちろん取付部材への取付構造や孔部の構造も上記実施形態に係る例に限られず、適宜変形・変更して実施可能である。
【００３２】
さらに上記実施形態では３本の突状からなる構造としたがこれに限られるものではなく、２本または４本以上の突条を有する構造としてもよい。また、各突条の構造も上記断面半円形状のドロップ形状に限らず、断面三角形状や角柱状等各種の構造を適用できる。
【００３３】
さらに、上記実施形態の構成要件のうち一部を省略しても本発明を実現可能である。
【符号の説明】
【００３４】
１、１００,３００…クリップ、２…トリムボード（取付部材）、２ａ…収容部、２ｂ…孔部、３…ドアパネル（取付対象）、３ａ…取付孔、１１…頭部、１２…首部、１３…胴部、１４…脚部、１５…支持板、１６…当接片、２１…ベース脚、２２，１２２，３２２…爪片、２２ａ…先端部分、２２ｂ…ガイド面、２２ｃ…係止部、２３，１２３，３２３…突条部、２３ａ〜２３ｃ、１２３ａ〜１２３ｃ、３２３ａ〜３２３ｃ…突条。
【図１】
2014052000.tif 000003
【図２】
2014052000.tif 000004
【図３】
2014052000.tif 000005
【図４】
2014052000.tif 000006
【図５】
2014052000.tif 000007
【図６】
2014052000.tif 000008
【図７】
2014052000.tif 000009